(57)【要約】      （修正有）【課題】各ユーザが各自のアカウントの識別を容易とできるインターネットファクシミリ装置を提供する。【解決手段】複数アカウントを予め登録可能としたインターネットファクシミリ装置１において、それぞれのアカウントに対して、アカウント識別画像を登録できるようにしている。また、それぞれのアカウントを、対応するアカウント識別画像とともにアカウントリストとして表示または印字出力される構成とした。それぞれのアカウントに対応して受信した電子メールに、対応するアカウント識別画像を含ませて印字出力する。【選択図】図１
2006345297.tif 000002
【特許請求の範囲】
【請求項１】
複数アカウントを予め登録可能としたインターネットファクシミリ装置において、
それぞれのアカウントに対して、アカウント識別画像を登録できるようにしたインターネットファクシミリ装置。
【請求項２】
請求項１において、
それぞれのアカウントを、対応するアカウント識別画像とともにアカウントリストとして表示または印字出力される構成としたインターネットファクシミリ装置。
【請求項３】
請求項１，２において、
それぞれのアカウントに対応して受信した電子メールに、対応するアカウント識別画像を含ませて印字出力するインターネットファクシミリ装置。
【発明の詳細な説明】
【技術分野】
【０００１】
本発明は、複数アカウントを予め登録可能としたインターネットファクシミリ装置に関する。
【背景技術】
【０００２】
上記インターネットファクシミリ装置は、事務所や一般家庭などで広く使用されている。
【０００３】
下記特許文献１は、この種のインターネットファクシミリ装置を示しており、複数アカウントを予め登録可能としており、それぞれのアカウントを送信元とした電子メールを送信したり、それぞれのアカウントを送信先とした電子メールを受信する機能を有する。
【特許文献１】特開平１１−１３４０５７号公報
【発明の開示】
【発明が解決しようとする課題】
【０００４】
ところで、上記構成では、登録したアカウントはアカウントリストとして表示または印字されるが、アカウントは、文字、記号、数字の組み合わせなどであるため、ユーザは、どのアカウントが自分のものか識別しにくいといった事情がある。
【０００５】
本発明は、このような問題を考慮して提案されるものであり、各ユーザが各自のアカウントの識別を容易とできるインターネットファクシミリ装置を提供することを目的とする。
【課題を解決するための手段】
【０００６】
上記目的を達成するため、請求項１では、複数アカウントを予め登録可能としたインターネットファクシミリ装置において、それぞれのアカウントに対して、アカウント識別画像を登録できるようにしている。
【０００７】
請求項２では、それぞれのアカウントを、対応するアカウント識別画像とともにアカウントリストとして表示または印字出力される構成とした。
請求項３では、それぞれのアカウントに対応して受信した電子メールに、対応するアカウント識別画像を含ませて印字出力する。
【発明の効果】
【０００８】
本発明によれば、以下の効果を奏する。
【０００９】
本発明の請求項１では、それぞれのアカウントに対してアカウント識別画像を登録できるため、ユーザが自己のアカウントを容易に確認できる。
【００１０】
請求項２では、アカウントリストにはアカウント識別画像を含んでいるので、ユーザは自己のアカウントを容易に確認できる。
【００１１】
請求項３では、受信メールにおいて、自己宛のものであることを容易に確認できる。
【発明を実施するための最良の形態】
【００１２】
以下に、本発明の実施の形態について説明する。
【実施例１】
【００１３】
図１は、本発明のインターネットファクシミリ装置の要部構成の一例を示すブロック図である。
【００１４】
このインターネットファクシミリ装置１は、この装置１を制御するＣＰＵ１０、電話回線Ｌに対する接続制御を行うＮＣＵ１１、ファクシミリ通信に必要な各種信号の変復調を行うモデム１２、アカウントデータ１３Ａを有するＲＡＭ１３、この装置１が動作するのに必要な各種プログラムを記憶するＲＯＭ１４、画像データを一時格納する画像メモリ１５、セットされた原稿を読み取り、画像データを形成するスキャナ１６、表示操作部１７、プリンタ１８，演算処理装置をネットワークを介して接続するインタフェース１９を備えている。
【００１５】
この装置１において、アカウントデータ１３Ａとして、図２に示すように、アカウントとしてユーザのメールアドレスが登録される他、対応するパスワード、各アカウントに対応するアカウント識別画像が登録されている。
【００１６】
なお、アカウントはメールアドレスだけに限られず、パーソナルコンピュータのＩＰアドレスなどの端末識別情報などであってもよい。
【００１７】
この装置１は、電話回線Ｌを介したファクシミリ通信を行える他、ネットワークを通じて電子メールを送受する機能を備える。電子メールの送信には、アカウントデータ１３Ａのメールアドレスを送信元とした電子メールを、対応するパスワードを図示しないメールサーバに送出してアクセスしてから送信する。
【００１８】
一方、電子メールの受信には、図示しないメールサーバに対して、アカウントデータ１３Ａのアカウントを利用してアクセスし、各ユーザ宛の電子メールを受信する。
【００１９】
次に、アカウントデータ１３Ａの登録手順について、説明する。表示操作部１６の操作により登録モードの実行を指示すれば登録モードを実行する。
【００２０】
アカウントデータ１３Ａとしては、アカウントを登録する領域を複数有しており、領域毎に、ユーザＩＤ（１３Ａａ）を登録し、アカウントとして、メールアドレス１３Ａｂを登録し、ついで、パスワード（１３Ａｄ）を登録し、更に、各々のアカウント識別画像（１３Ａｃ）を登録する。
【００２１】
アカウント識別画像１３Ａｃの登録の際には、図３に示すようなアカウント識別画像選択画面が表示されるので、そこから、操作表示部１７の操作により任意の識別画像を選択する。選択されたアカウント識別画像は、該領域に登録される。
【００２２】
ここで、アカウント識別情報は、図３ではシンボルマークを選択するようにしているが、この例には限られず、パーツ毎に順次選択画面を表示させ、ユーザの所望のパーツを選択させて、１つのシンボルを作成できる、いわゆるアバター画像であってもよい。
【００２３】
更に、個人の顔写真の画像データなどを入力し登録してもよい。
【００２４】
また、装置１側ではなく、ネットワークを介して外部の演算処理装置側にて、アカウントデータ１３Ａを作成して装置１に送信して登録させたり、外部の演算処理装置にアカウントデータ１３Ａを送出し、外部の演算処理装置側でこのデータの編集をさせてもよい。
【００２５】
このようにして登録されたアカウントデータ１３Ａは、例えば、以下のようにして使用される。
【００２６】
図４は、アカウントリスト出力処理の一例について示したフローチャートである（１００〜１０２）。表示操作部１７の操作によりアカウントリスト出力処理の指示を行えば、アカウントデータ１３Ａの領域毎に、ＩＤ（１３Ａａ）、メールアドレス（１３Ａｂ）、パスワード（１３Ａｄ）、アカウント識別画像（１３Ａｃ）を順次読み出し、読み出した全アカウントに関する情報をアカウントリストとして表示操作部１６に表示したり、プリンタ１７で印字出力をなす。すると、図２に示す内容が表示又は印字出力される。
【００２７】
図５は、電子メール受信印字処理の一例について示したフローチャートである（２００〜２０４）。
【００２８】
アカウントデータ１３Ａのデータを使用してメールサーバにアクセスしてログインし、各アカウントに対応する電子メールを受信する。ついで、印字出力時には、電子メールのデータから送信先となっている該アカウントを抽出して、該アカウントに対応するアカウント識別画像１３Ａｃをアカウントデータ１３Ａから取り出して電子メールに合成し、印字出力または表示を行う。
【図面の簡単な説明】
【００２９】
【図１】本発明のインターネットファクシミリ装置の要部構成の一例を示すブロック図
【図２】アカウントデータの一例を示す図
【図３】アカウント識別画像選択画面の一例を示す図
【図４】アカウントリスト出力処理の一例について示したフローチャート
【図５】電子メール受信印字処理の一例について示したフローチャート
【符号の説明】
【００３０】
１  インターネットファクシミリ装置
１３Ａ  アカウントデータ
１３Ａａ  ユーザＩＤ
１３Ａｂ  メールアドレス
１３Ａｃ  アカウント識別画像
１３Ａｄ  パスワード
【図１】
2006345297.tif 000003
【図２】
2006345297.tif 000004
【図３】
2006345297.tif 000005
【図４】
2006345297.tif 000006
【図５】
2006345297.tif 000007